(57)【要約】      （修正有）【課題】排気方向を任意調整でき、排出空気からユーザを保護する空気式回転駆動手持ち装置工具を提供する。【解決手段】空気式回転駆動手持ち工具は、空気モータを含んでいる長尺のハウジング３を有する。ハウジング３は、後方端部７で圧縮空気のための取込通路と、空気モータへ圧縮空気を流すための空気供給通路とを有する。ロータリコネクタ１７は、取込通路で空気ホースへの結合を可能にする。ハウジング３もまたモータから排気するための排気通路を有する。排気出口である排出通路のための空気デフレクタ３１は、ユーザから選択された横方向外側に排出空気をそらすためにコネクタ１７の周囲を回転でき、デフレクタ３１の環状壁は決められた方向への排出するための開口部１５１を有する。【選択図】図３
2006289606.tif 000002
【特許請求の範囲】
【請求項１】
手持ち空気式回転駆動装置において、
ハウジングと；
前記ハウジングはチャンバと、前記チャンバ内で回転するロータを有する空気式モータを有することと；
前記ロータにより駆動される、前記ハウジングから外部から延びている駆動シャフトと；
前記ハウジングは圧縮空気のための取込通路とハウジングの開口部に対してシール状態でねじ込み可能に固定された取り付け部を有することと；
前記取り付け部に対してシール状態で回転し、取り付け部によりハウジングに取り付けられている空気ホースコネクタであって、前記取込通路に圧縮空気が流れるための孔を有する環状の形態をしており、圧縮空気を供給源から前記コネクタの孔まで供給し、ホースとコネクタに対する取り付け部とハウジングの旋回を可能とするよう空気ホースを結合するコネクタと；
前記ハウジングは前記取込通路からモータへ圧縮空気を流すための空気供給通路を有することと；および
前記ハウジングは前記チャンバからハウジングの出口まで延びているモータチャンバからの空気を排出するための排気通路を有することと、
から構成される装置。
【請求項２】
前記取り付け部が、当該取り付け部と前記ハウジングをシールするため、取り付け部が完全にハウジングにねじ込まれた時にハウジングと係合するフランジを更に備えている、請求項１に記載の装置。
【請求項３】
取り付け部が工具を受け入れるための大きさと形をしており、工具と取り付け部とは一緒に回転可能であり、当該回転によって取り付け部をハウジング内にねじ込むことができる、請求項２に記載の装置。
【請求項４】
取り付け部が工具を受け入れるためのキー溝を含む、請求項３に記載の装置。
【請求項５】
キー溝が六角形である、請求項４に記載の装置。
【発明の詳細な説明】
【技術分野】
【０００１】
本発明は、一般に空気式回転駆動手持ち装置に関し、より具体的には型具研削盤として有用である研削砥石を駆動するためのこのクラスの装置に関する。
【背景技術】
【０００２】
工具のための２方向のつめ車装置で使用するものではあるが、一般に本発明と同じクラスの空気式回転駆動手持ち装置が、１９９６年７月１６日に発行された米国特許第５,５３５,６４６号の図９にて参照され得る。
【特許文献１】米国特許第５,５３５,６４６号
【発明の開示】
【発明が解決しようとする課題】
【０００３】
本発明に関する形式の空気式回転駆動手持ち装置は、有効な駆動力を提供する手段として空気式モータを有しており、この空気式モータにはホース経由で圧縮空気が供給される。ホースの柔軟性は装置の操作が手動で意図した働きをすることを可能にする。本発明は特に空気式の回路構成を含むものに関するものであり、より詳しくは従来の装置から空気を排出する状況で直面しているユーザの目の中に吹き込む（しばしば空気中の屑の粒子を含む）排気やユーザの袖に吹き込む排気といった問題や過度の騒音の問題などに関するものである。
【本発明の簡単な要約】
【０００４】
本発明のいくつかの目的のうち、上述の問題を減じるか、または排除するための一般的な排気システムを用いた空気式回転駆動手持ち装置の以下の提供が表示され得る；装置の異なる手持ち位置に適合する排気の方向調整の効果をもたらす手段を有する装置の提供；関連する前記装置を旋回させることが可能なコネクタであって、圧縮空気を供給するための柔軟なホース用のコネクタに前記手段が適合するような装置の提供；及び比較的単純で経済的な構造で排気のための作動可能な方向の選択が簡単に調整できるような手段を用いた装置の提供。
【０００５】
一般に、本発明の空気式回転駆動手持ち装置は、手持ち用の大きさ及び形状に作られた長尺のハウジングを通常含み、そのハウジングは手持ち状態で前方端部及び後方端部及び長手方向にまっすぐに延びた軸を有し、並びにそのハウジングはその前方端部及び空気式モータに隣接したチャンバを有し、そのモータは前記チャンバ内で前記軸上で回転するロータとハウジングの前記前方端部の外へ延びているロータにより駆動する駆動シャフトを有する。ハウジングは前記後方端部で前記ハウジングに対してほぼ長手方向に延びる圧縮空気のための取込通路を有する。空気ホースコネクタは前記ハウジングに対して一般に長手方向に延びている軸上で前記ハウジングに対してシール状態で回転し、管状である前記コネクタは圧縮空気を前記取込通路に通すための孔を有し、該コネクタは空気ホースが供給源から前記コネクタの孔まで圧縮空気を供給するための接合部であり、ホースとコネクタに対してハウジングを旋回させる。ハウジングは前記取込通路からモータまで圧縮空気を流すための空気供給通路を有し、前記供給通路はその中にバルブを有し、前記ハウジングはバルブを操作するための装置を保持している手で操作できるメンバを有する。ハウジングはモータチャンバからの空気を排出するため、チャンバからハウジングの後方出口まで延びる該コネクタの横方向外側に位置する排気通路と、装置を手持ちしているユーザから選択された方向で横方向外側に排気をそらすための前記コネクタの周りに回転できる前記排出通路出口を出る排気用空気デフレクタを有する。
【０００６】
他の目的及び特徴は、一部は自明であり、一部は以下で指摘する。
【０００７】
図面において、同一の符号は複数の図を通して同一の部分を指し示す。
【０００８】
図面を参照すると、全体を符号１で示した本発明の装置は、手持ち用の大きさ及び形状に作られた一般に長尺のハウジング３を含むことが分かり、そのハウジングは手持ち状態で前方端部５及び後方端部７、並びに長手方向にまっすぐに延びた軸Ａを有する。横断面がほぼ円形であるハウジング３は、その前方端部５付近にモータチャンバ９及び空気モータＭを有し、該モータＭは前記チャンバの軸Ａを中心に回転するロータ１１を有する。ハウジングの前方端部５から前方に延びるロータ１１によって駆動される駆動シャフトは、１３で示されている。後者はロータ１１を回転させる圧縮空気の取込通路１５を有し、前記通路はハウジングの後方端部７にあり、ハウジングに対し一般に長手方向に、より具体的には軸Ａに沿って延びる前記通路を有する。空気ホースコネクタ１７はハウジング３に対して密着したまま、ハウジングに対しほぼ長手方向に延びる軸、より具体的には軸Ａ（取込通路１５と同軸）を中心に回転する。ホースコネクタ１７は管状で、取込通路１５に圧縮空気を流すための孔１９を有する。本明細書では「孔」という用語は、くりぬいて形成される穴だけではなく、他のあらゆる方法で形成される穴をも意味する。コネクタ１７は、圧縮空気をその供給源から孔１９に供給し、前記ホース及びコネクタに対してハウジング３が回転できるように、空気ホース（図示されていない）を接続する。
【０００９】
ハウジング３は、モータＭが駆動するよう取込通路１５からモータＭへ圧縮空気を流すために２１で示す空気送り通路を有し、前記送り通路はその中を通る流れを制御するためにその中にバルブ２３を有する。バルブ２３を操作するために、ハウジング３はバルブに接するメンバ２５、より具体的にはレバーを有し、それは装置１をつかむ使用者の手で操作できる。前記ハウジングはその内部に、前記チャンバから２対の開口部２９を含む２つの出口に延びるモータチャンバ９から排気するために、ハウジングの後方端部７に２７で示す排気通路を有し、各々はホースコネクタ１７の横方向外側に位置する。装置１をつかむ使用者から選択された方向へ半径方向外向きにと排気の向きを変えるためにホースコネクタ１７の周りを回転することができる排気出口開口部２９に存在する空気を排気するための空気デフレクタは３１で示され、３６０°に亘って調整することができる。
【００１０】
より詳しくは、ハウジング３は、ゴムまたはその類似物から作られたカバー３５を有するほぼ円筒形の管状金属本体３３を含む。本体３３はその後方部分に、１つの側面からその他の側面へそれらの内部に正反対に延びている一体となったクロス−ブロック３７を有し、前記クロス−ブロックは本体より孔が小さく、それぞれ３９で示す２つの開口部が、クロス−ブロックの側面４１と本体を囲んでいる壁の間に定められているというように本体に対するクロス−ブロックは構成される（特に図６を参照）。本体３３は、前記クロス−ブロックの前方にその全体を４３で示す円筒形の凹部を有し、その凹部は前記本体の前方端部５に少し拡大された前方端部４５を有する（図５を参照）。この凹部４３に嵌り込み、内側（後方）端部で前記クロス−ブロックの前面に接しているのは、ロータ１１の後方トラニオン５１のためのボールベアリング４９のケージ４７である。ロータ１１は通常のブレードまたはベーン５３（公知のもの）を有し、それをスピンさせるために空気送り通路２１を通って供給された圧縮空気でその上に衝撃が与えられ、ブレードまたはベーンは凹部４３に収まったモータシリンダ５５の中で回転する。前記モータシリンダの前方端部には、ケージ５７があり、それはロータ１１の前方トラニオン６１用のボールベアリング５９（図５）のためのものである。ボールベアリングケージ５７はそれ自体、本体３３の前方端部にねじ込まれた環状のリテーナ６３によって定位置に保持されている。シャフト１３はラップ端部６７内で本体の前方端部に中央開口部６５を通過してトラニオン６１から軸方向に前方に延びており、６９で示されるように研削車輪またはその他の駆動機関における確保のための手段を持つ。モータチャンバ９はボールベアリングケージ４７と５７との間の凹部４３の部分によりモータシリンダ５５の端部に構成される。ロータ１１とベーン５３を有するモータＭは通常用いられるものであり技術的に当業者によく知られた型である。
【００１１】
クロス−ブロック３７内で本体３３を横切って延びている横向きの開口部７５内のＯ−リングによりシール状態の管状の円筒形の本体をバルブ２３（図１０に拡大して示す）は含む。バルブ本体は第１の孔７７を有し、第２のより小さな直径の孔７９は第１の孔の内部端部でバルブシート８１を形成し、そして第２の孔よりも小さな直径の第３の孔８３はバルブに向かって端でレバー２５を操作する。８５はバルブメンバで、孔８３に対向するバルブ本体７１の端部にねじ込まれたプラグ８９によって作用するコイル圧縮バネ８７でバルブシートに対して閉鎖位置に付勢されている。プラグ８９はバルブメンバ８５にかかる付勢力を調整するためにプラグを回転させるノブ９１を有する。バルブ本体７１は装置に対して前方に向かう第３の孔８３から通路９５へ放射線状に延びている出口ポート９３を有し、前記通路９５はボールベアリングケージ４７を通る通路９７と通ずるクロス−ブロック３７を通って延び、前記通路９３、９５、および９７は通路２１の一部を構成する。空気を流すためにバルブ２３を開くレバー２５に係合可能な、第３の孔８３の中でスライドすることができるバルブステムが９９で示されており、空気はポート取込通路１５からバルブ本体７１内のポート１０１を介して第１の孔７７へ入って第２の孔７９を通り、その後通路９３、９５及び９７を通って（後述する）モータＭへと流れる。レバー２５はハウジング３３の上に１０３でピボット状に取り付けられ、図２、４、５及び１０で図示する引き込み状態から押されると、ステム９９が押し込まれバルブ２３が解放される。レバー２５が引き込まれた状態は、本体３３にレバーの後方端部を係合させることによって確定される。引っ込み位置にレバーを維持するためのラッチは１０５に表示する。
【００１２】
ボールベアリングケージ４７内の通路９７は、モータシリンダ５５の後方端部にあるノッチ１０９へと導かれる。ノッチ１０９は通路９７とモータシリンダ５５の内部との間の連絡をする。チャンネル１０７はノッチ１０９からモータシリンダ５５を通ってその後方端部からその前方端部へと延び、前記モータシリンダの前方端部にあるノッチ１０８へと導かれる。ノッチ１０８は、前記モータシリンダの内部への通路９７と前記モータシリンダの前方端部との間の連絡をする。空気は、モータシリンダ５５の内部からモータシリンダの前方端部にあるノッチ１１１を介して、モータシリンダと、凹部４３を囲む本体３３の壁との間の通路１１３（空気が後方に向かって流れるところ）へと排気され、その後ボールベアリングケージ４７の周辺部にあるノッチ１１４を通って、軸Ａを取り巻く弧に沿って延びるケージ４７の中の通路１１５へと排気され、前記通路１１５が排気をクロス−ブロックの反対側で開口部２９へと流す。空気はまた、モータシリンダ５５の内部から前記モータシリンダの後方端部にあるノッチ１１１ａを介し、その後ボールベアリングケージ４７の周辺部にあるノッチ１１４ａを通って通路１１５へと排気される。
【００１３】
取込通路１５はハウジング３の後方への延長部分１１７内にあり、この延長部分は前記取込通路を構成する孔を有する管状である。延長部分１１７は、前記装置のほぼ長手方向に延びるクロス−ブロック３７内の開口部１２１の中にあるＯ−リング１１９によって密着して固定された管状取り付け部で構成されている。管状取り付け部１１７は、直径が小さい前方部１２３を、前記取り付け部の径が大きい後方部１２７の前方端部にあるフランジ１２５が本体３３の後方端部に開口部１２１及びＯ−リング１１９の周りにぴったりと係合する点までねじ込むことにより開口部１２１内に固定される。管状取り付け部１１７はさらに（例えば六角鍵や六角レンチなどの）六角形の工具を受け止めることが可能である六角形のキー溝１３０を含む。六角形の工具をキー溝１３０に挿入することにより、前方部１２３が開口部１２１中にねじ込まれるよう（または開口部１２１から外れるよう）取り付け部１１７は回転することができる。管状の空気ホースコネクタ１７はＯ−リング１２７を用いることにより管状取り付け部１１７に密着し、その上で回転する。前記コネクタは取り付け部の環状溝１３５に受け止められるようにばね１３３によって付勢されたボール抜け止め１３１を有することによって、取り付け部のフランジ１２５に係合しているその前方端部で前記取り付け部上に保持される。このように配置することにより取り付け部上でコネクタが回転できる。コネクタ１７のフランジ１３７の後方では、コネクタの孔が１３９で示されているように空気供給ホースを接続するためにねじが切られ、コネクタのフランジ１３７の後方の周囲部は、レンチを当てるため図４に表されているように六角形であり得る。
【００１４】
クロス−ブロック３７は、本体３３の後方端部の前方に空間が設けられ、前記本体の後方端部にほぼ円筒形の凹部１４１がある構成になっている。空気デフレクタ３１は、空気ホースコネクタ１７と同軸の環状壁１４３を有する管状メンバから成り、コネクタをその間にある環状空間１４５で取り囲んでいる。環状壁１４３は、その前方端部でハウジング３の本体３３の後方端部と隣接して回転式に密着係合しており、前記環状壁の前方端部は凹部１４１に収まっており、Ｏ−リング１４７によって密着したまま凹部内で回転することができる。環状壁１４３は内側に向いたフランジ１４９をその後方端部に有しており、コネクタ１７の環状フランジ１３７と係合して環状空間１４５を閉じている。排気はクロス−ブロック３７の反対側で開口部２９からデフレクタ３１内の環状空間１４５へと出て行き、前記デフレクタの環状壁１４３には空間１４５から排気を横方向に排気する開口部１５１を有している。環状壁１４３には、前記コネクタ上で回転させるためにそれを握り易いように、外側に１５３で示すリブが設けられている。
【００１５】
このように、空気デフレクタ３１は回転ホースコネクタ１７に適合し、装置１の異なる手持ち位置に適した排気の方向調整をするための手段を提供する。上述した手段は簡単で経済的な構造をしており、それを回転させることにより、簡単に調節して開口部１５１を経て排気するための作動可能な方向を選択することができる。デフレクタの供給により排気騒音を減じることもまた発見された。
【００１６】
上述を考慮すると、本発明のいくつかの目的が達成され、その他の利点が得られたことが分かる。
【００１７】
本発明の範囲を外れることなく上述の構成を様々に変更することが可能であるため、上述の記述に含まれ、また添付の図面で表されている全ての事項は例示として解されるべきであり、限定を意味するものではないことが意図されている。
【図面の簡単な説明】
【００１８】
【図１】本発明の装置の側面図である。
【図２】図１に示す装置の正面図である。
【図３】図１に示す装置の背面図である。
【図４】図２の線４−４から見た後方端部の下面図である。
【図５】図４の線５−５にほぼ沿った装置の側面断面図である。
【図６】図５の線６−６にほぼ沿った横方向の拡大断面図である。
【図７】図５の線７−７にほぼ沿った横方向の拡大断面図である。
【図８】図５の線８−８にほぼ沿った横方向の拡大断面図である。
【図９】図５の線９−９にほぼ沿った横方向の拡大断面図である。
【図１０】図５の拡大部分図である。
【符号の説明】
【００１９】
１…装置、３…ハウジング、５…前方端部、７…後方端部、９…モータチャンバ、１１…ロータ、１３…駆動シャフト、１５…取込通路、１７…ホースコネクタ、１９…孔、２１…空気送り通路、２３…バルブ、２５…レバー、２７…排気通路、２９…開口部、３１…空気デフレクタ、３３…管状金属本体、３５…カバー、３７…クロス−ブロック、３９…開口部、４１…側面、４３…凹部、４５…前方端部、４７…ボールベアリングケージ、４９…ボールベアリング、５１…後方トラニオン、５３…ベーン、５５…モータシリンダ、５７…ボールベアリングケージ、５９…ボールベアリング、６１…トラニオン、６３…リテーナ、６５…中央開口部、６７…ラップ端部、６９…研削車輪、７１…バルブ本体、７５…開口部、７７…孔、７９…孔、８１…バルブシート、８３…孔、８５…バルブメンバ、８７…コイル圧縮ばね、８９…プラグ、９１…ノブ、９３…通路、９５…通路、９７…通路、９９…バルブステム、１０１…ポート、１０３…ピボット、１０５…ラッチ、１０７…チャンネル、１０８…ノッチ、１０９…ノッチ、１１１,１１１ａ…ノッチ、１１３…通路、１１４,１１４ａ…ノッチ、１１５…通路、１１７…管状取り付け部、１１９…Ｏ−リング、１２１…開口部、１２３…前方部、１２５…フランジ、１２７…後方部、１２７（１２９？）…Ｏ−リング、１３０…六角形のキー溝、１３０ａ…六角形の工具、１３１…ボール止め、１３３…ばね、１３５…環状溝、１３７…フランジ、１３９…ねじ切り、１４１…凹部、１４３…環状壁、１４５…環状空間、１４７…Ｏ−リング、１４９…フランジ、１５１…開口部、１５３…リブ、Ｍ…モータ。
【図１】
2006289606.tif 000003
【図２】
2006289606.tif 000004
【図３】
2006289606.tif 000005
【図４】
2006289606.tif 000006
【図５】
2006289606.tif 000007
【図６】
2006289606.tif 000008
【図７】
2006289606.tif 000009
【図８】
2006289606.tif 000010
【図９】
2006289606.tif 000011
【図１０】
2006289606.tif 000012